(57)【要約】【課題】大容量のバッテリパックを装着できて持ち運びしやすく、しかも、雨に濡れにくい充電式集塵機を提供する。【解決手段】略直方体形状のバッテリパック５０が着脱自在に装着される充電式集塵機であって、モータ６の上側に、バッテリパック５０がその長手方向をスライド方向として略水平にスライド装着されるバッテリ取付部を備え、該バッテリ取付部に装着されたバッテリパック５０が平面視においてモータ６の上側に重なり合う配置態様とされ、バッテリ取付部に装着されたバッテリパック５０の主要部分を上側から覆うバッテリカバー１３を備え、該バッテリカバー１３の上面１３ａには集塵機を持ち上げるためのハンドル１４が設けられ、該ハンドル１４は、バッテリカバー１３の上面１３ａから上側に突出する突出量が相対的に大きい使用位置と、前記突出量が相対的に小さい非使用位置との間を移動可能に構成されている。【選択図】図２
2018186931.tif 000002
【特許請求の範囲】
【請求項１】
略直方体形状のバッテリパックが着脱自在に装着される充電式集塵機であって、
モータの上側に、バッテリパックがその長手方向をスライド方向として略水平にスライド装着されるバッテリ取付部を備え、該バッテリ取付部に装着されたバッテリパックが平面視においてモータの上側に重なり合う配置態様とされ、
バッテリ取付部に装着されたバッテリパックの主要部分を上側から覆うバッテリカバーを備え、該バッテリカバーの上面には集塵機を持ち上げるためのハンドルが設けられ、該ハンドルは、バッテリカバーの上面から上側に突出する突出量が相対的に大きい使用位置と、前記突出量が相対的に小さい非使用位置との間を移動可能に構成されていることを特徴とする充電式集塵機。
【請求項２】
長軸方向と短軸方向を有する平面視形状であり、肩掛けベルトを取り付けるためのベルト取付部が前記長軸方向に対向して一対設けられ、バッテリパックが前記長軸方向に沿ってバッテリ取付部にスライド装着される構成である請求項１記載の充電式集塵機。
【請求項３】
モータを作動、停止させるためのメインスイッチと、電池残量を表示するための残量表示部を備えており、
平面視においてメインスイッチと残量表示部は中央に対して所定方向にオフセットした位置に配置されており、メインスイッチと残量表示部の配置側からバッテリパックがバッテリ取付部にスライド装着される請求項１又は２記載の充電集塵機。
【発明の詳細な説明】
【技術分野】
【０００１】
本発明は、種々の塵芥を吸い込むための充電式の集塵機に関する。
【背景技術】
【０００２】
下記特許文献１所載の集塵機では、略直方体形状のバッテリパックをその長手方向が上下方向となるようにして集塵機の上部に配置されており、そのバッテリパックはモータに対して水平方向に離れた位置に配置されている。そのため、集塵機の水平方向の寸法が大きくなりやすく、持ち運びしにくい。
【０００３】
また、下記特許文献２の図４に示された集塵機では、モータの上側に略立方体形状のバッテリパックが配置され、該バッテリパックの上側には所定距離離間してハンドルが設けられている。該構成ではモータとバッテリパックとが上下に並ぶ配置態様となるため、集塵機の水平方向の寸法の肥大化を抑制できる。しかしながら、バッテリパックが略直方体形状のものであって小型のものであるため電池容量が小さく長時間の使用には不向きである。仮に、バッテリパックを大容量化するために略直方体形状のものに変更してその長手方向が略水平方向となるように配置したとすると、バッテリパックの大部分が露出することになり、バッテリパックが雨に濡れやすいという問題がある。
【先行技術文献】
【特許文献】
【０００４】
【特許文献１】特開２０１４−１４７９０４号公報
【特許文献２】特開平１０−３２８０８２号公報
【発明の概要】
【発明が解決しようとする課題】
【０００５】
それゆえに本発明は上記従来の問題点に鑑みてなされ、大容量のバッテリパックを装着できて持ち運びしやすく、しかも、バッテリパックが雨に濡れにくい充電式集塵機を提供することを課題とする。
【課題を解決するための手段】
【０００６】
本発明は上記課題を解決すべくなされたものであって、本発明に係る充電式集塵機は、略直方体形状のバッテリパックが着脱自在に装着される充電式集塵機であって、モータの上側に、バッテリパックがその長手方向をスライド方向として略水平にスライド装着されるバッテリ取付部を備え、該バッテリ取付部に装着されたバッテリパックが平面視においてモータの上側に重なり合う配置態様とされ、バッテリ取付部に装着されたバッテリパックの主要部分を上側から覆うバッテリカバーを備え、該バッテリカバーの上面には集塵機を持ち上げるためのハンドルが設けられ、該ハンドルは、バッテリカバーの上面から上側に突出する突出量が相対的に大きい使用位置と、前記突出量が相対的に小さい非使用位置との間を移動可能に構成されていることを特徴とする。
【０００７】
該構成の充電式集塵機にあっては、モータの上側にバッテリ取付部を備えていて、該バッテリ取付部にバッテリパックを装着すると、モータとバッテリパックが上下に並んだ状態となる。従って、集塵機の水平方向の寸法を抑制できる。また、バッテリ取付部には略直方体形状のバッテリパックを装着でき、大容量のバッテリパックを装着できる。バッテリパックをバッテリ取付部に装着した状態ではバッテリパックの長手方向が略水平方向となるため、バッテリパックの長手方向が上下方向となる装着態様に比して上下方向の寸法を抑制できる。そして、バッテリパックの上側にはバッテリカバーが設けられていて、そのバッテリカバーによってバッテリパックの主要部分が覆われた状態となる。即ち、バッテリカバーによってバッテリパックの上部の半分以上の領域が覆われた状態となる。そのためバッテリパックが雨に濡れにくくなる。そして更に、バッテリカバーの上面にハンドルが設けられていて通常はその上側への突出量が小さくなっているのでハンドルが邪魔になりにくい。また、ハンドルを把持して集塵機を持ち上げるような場合には、ハンドルを使用位置に移動させることでバッテリカバーの上面からの突出量が大きくなり、容易にハンドルを把持して持ち運ぶことができる。
【０００８】
特に、長軸方向と短軸方向を有する平面視形状であり、肩掛けベルトを取り付けるためのベルト取付部が前記長軸方向に対向して一対設けられ、バッテリパックが前記長軸方向に沿ってバッテリ取付部にスライド装着される構成であることが好ましい。該構成では、一対のベルト取付部に肩掛けベルトの両端部をそれぞれ取り付けて使用することができる。肩掛けベルトが集塵機の長軸方向に沿って延びるので、集塵機を肩掛けベルトによって肩に掛けた際に、集塵機の短軸方向の側面が作業者の体に面することになり、持ち運びしやすい。そして、集塵機の長軸方向に沿って略直方体形状のバッテリパックをスライド装着するので、集塵機の長軸方向の長い寸法を効率良く利用してバッテリパックを配置でき、集塵機の水平方向の寸法を抑制できる。
【０００９】
また、モータを作動、停止させるためのメインスイッチと、電池残量を表示するための残量表示部を備えており、平面視においてメインスイッチと残量表示部は中央に対して所定方向にオフセットした位置に配置されており、メインスイッチと残量表示部の配置側からバッテリパックがバッテリ取付部にスライド装着されることが好ましい。該構成では、作業者が集塵機を操作する側からバッテリパックを着脱できるため、バッテリパックの着脱作業が容易である。
【発明の効果】
【００１０】
以上のように、略直方体形状のバッテリパックをその長手方向が略水平方向となるようにスライド装着できるので、大容量のバッテリパックを装着しても水平方向の寸法を抑制できて持ち運びしやすい。しかも、バッテリパックの主要部分がバッテリカバーによって覆われるので雨にも濡れにくく、そのバッテリカバーの上面に使用位置と非使用位置とを移動可能なハンドルが設けられているので、上下方向の寸法の過度の大型化を抑制しつつハンドルを把持して容易に持ち運ぶことができる。
【図面の簡単な説明】
【００１１】
【図１】本発明の一実施形態における充電式集塵機を示す正面側から見た斜視図。
【図２】同充電式集塵機のバッテリパック装着状態を示す正面側から見た斜視図。
【図３】同充電式集塵機のバッテリパック装着状態を示す背面側から見た斜視図。
【図４】同充電式集塵機のバッテリパック装着状態を示す正面図。
【図５】同充電式集塵機のバッテリパック装着状態を示す側面図。
【図６】同充電式集塵機のバッテリパック装着状態を示す平面図。
【図７】図４のＡ−Ａ断面図。
【図８】図５のＢ−Ｂ断面図。
【図９】図５のＣ−Ｃ断面図。
【図１０】図５のＤ−Ｄ断面図。
【発明を実施するための形態】
【００１２】
以下、本発明の一実施形態にかかる充電式集塵機について図１〜図１０を参酌しつつ説明する。図中において左右方向を符号Ｘで示し、前後方向を符号Ｙで示し、上下方向を符号Ｚで示している。本実施形態の充電式集塵機（以下、単に集塵機と称ぶ）は、全体として縦型のものであって、左右方向の寸法を幅、前後方向の寸法を奥行き、上下方向の寸法を高さとすると、幅と奥行きに対して高さが高いものである。また、図６に示しているような平面視において、前後方向が長軸方向となり左右方向が短軸方向となる形状であって、具体的には、平面視形状が角丸長方形状あるいは楕円形状である。従って、左右方向の寸法が相対的に小さく、前後方向の寸法が相対的に大きい。
【００１３】
集塵機は、本体１とタンク２とを備えている。タンク２は下側に位置し、本体１はタンク２の上側に位置していて、本体１とタンク２は上下に分離可能である。タンク２の左右両側面には本体１を固定するためのクランプ３がそれぞれ設けられており、クランプ３を外側に向けて外すことで本体１の固定が解除されてタンク２から本体１を上側に引き抜くことができる。タンク２は上面開口の有底容器であって、吸い込んだ塵芥を溜めておくためのものである。タンク２から本体１を取り外すことで、溜まった塵芥をタンク２から取り出して廃棄できる。タンク２の正面上部にはホース接続口４が開口している。該ホース接続口４は、塵芥をタンク２内に吸い込むための吸い込み口であって、図示しないホースを接続することでホースを介して集塵できる。タンク２の底面の四隅にはキャスター５が取り付けられている。
【００１４】
本体１は、モータ６と、該モータ６を覆う本体ハウジングとを備えている。モータ６はその回転中心線が上下方向を向くようにして配置されていて、平面視において本体１の中央に位置している。モータ軸の上端部にはモータ６を冷却するための冷却風を発生させる冷却用ファン７が取り付けられており、モータ６の下端部には塵芥を吸い込むための集塵風を発生させるための集塵用ファン８が取り付けられている。
【００１５】
本体ハウジングは複数の部材から構成されている。即ち、本体ハウジングは、下から順に、モータベース１０、モータカバー１１、ヘッドカバー１２及びバッテリカバー１３から構成されている。モータベース１０とモータカバー１１との間にモータ６と冷却用ファン７と集塵用ファン８が位置している。
【００１６】
集塵機は肩掛け式としても使用できるタイプであって、集塵機を肩に掛けるようにして持ち運ぶことができる。本体１は、図示しない肩掛けベルトを取り付けるためのベルト取付部２０を備えている。ベルト取付部２０は前後一対設けられていて互いに対向している。前側のベルト取付部２０はモータベース１０の前面に設けられ、後側のベルト取付部２０はモータカバー１１の後面に設けられている。また、モータベース１０の左右両側面にはクランプ３によって係止される本体係止部２１がそれぞれ設けられている。
【００１７】
モータカバー１１には冷却風が通る通気孔２２が形成されている。該通気孔２２を介して本体ハウジングの内側に冷却風が入ってモータ６を冷却した後、通気孔２２から本体ハウジングの外側に排出される。通気孔２２は、モータカバー１１の左右両側面にそれぞれ多数個形成されている。図８及び図１０に冷却風の流れを矢印で示している。冷却風は、一方の側面の通気孔２２から本体ハウジングの内側に入り込む。冷却風は通気孔２２から一旦上昇してモータカバー１１の上部開口部からモータカバー１１の内側を下降してモータ６を冷却した後、他方の側面の通気孔２２から本体ハウジングの外部に出ていく。
【００１８】
モータカバー１１の上側にヘッドカバー１２が取り付けられている。ヘッドカバー１２はモータカバー１１の上部開口部を上側から覆っている。ヘッドカバー１２の上面１２ａは平坦面とされている。ヘッドカバー１２の上面１２ａの正面側の部分である前部には、モータ６を作動、停止させるためのメインスイッチ２３と、集塵機に取り付けられるバッテリパック５０の電池残量を表示するための残量表示部２４が設けられている。即ち、メインスイッチ２３と残量表示部２４は、平面視において中央に対して前側にオフセットした位置に配置されている。メインスイッチ２３と残量表示部２４との位置関係は任意であるが、本実施形態では左右に分かれて配置されており、メインスイッチ２３が左側にオフセットした位置に配置され、残量表示部２４はそれとは反対側である右側にオフセットした位置に配置されている。メインスイッチ２３と残量表示部２４は、取り付けられたバッテリパックの左右両側に分かれて位置する。また、ヘッドカバー１２の上面１２ａの背面側の部分である後部には、集塵風を本体ハウジングの内部から外部に排気するための排気口２５が設けられている。
【００１９】
ヘッドカバー１２の上面１２ａに、バッテリパック５０を取り付けるためのバッテリ取付部３０が設けられている。バッテリ取付部３０は、ヘッドカバー１２の上面１２ａの中央部のやや前寄りの位置に設けられている。バッテリ取付部３０は、バッテリパック５０を略水平方向にスライドさせて取り付ける構成であり、そのため、バッテリ取付部３０にはバッテリパック５０を案内するためのスライドレール３１を備えている。バッテリパック５０は、バッテリ取付部３０のスライドレール３１に案内される図示しないスライドレールを備えている。バッテリパック５０はその上面に端子５１を有しており、その上面及び端子５１が下を向いた姿勢、即ち天地逆の姿勢でバッテリ取付部３０に装着される。従って、バッテリ取付部３０の端子３２は上側に表出していて前側を向いて延びている。
【００２０】
バッテリパック５０のスライド方向（着脱方向）は前後方向である。即ち、バッテリパック５０のスライド方向は集塵機の長軸方向である。そして、バッテリパック５０はバッテリ取付部３０に前側（正面側）から装着される。バッテリパック５０をバッテリ取付部３０に取り付ける際にはバッテリパック５０を前側から後側に向けてスライドさせる。逆に、バッテリパック５０をバッテリ取付部３０から取り外す際にはバッテリパック５０を前側に向けてスライドさせて引き抜く。尚、バッテリパック５０の長手方向の一端部には、バッテリパック５０をバッテリ取付部３０から取り外す際に操作される操作部５２が設けられている。本実施形態において操作部５２は左右両側面にそれぞれ対向して設けられていて、その左右一対の操作部５２を把持して内側に押すことにより、バッテリパック５０をバッテリ取付部３０から取り外すことができる。
【００２１】
バッテリパック５０は種々のサイズのものを装着できるが、特に略直方体形状の大容量のものが長時間使用できて好ましい。図２等には略直方体形状のバッテリパック５０を装着した状態を示している。バッテリパック５０はその上面あるいは下面が略長方形状であって、その長手方向（長辺方向）が前後方向となるようにして装着される。即ち、バッテリパック５０のスライド方向はバッテリパック５０の長手方向である。
【００２２】
バッテリカバー１３はバッテリパック５０を上側から覆っている。バッテリカバー１３はヘッドカバー１２の上面１２ａに取り付けられている。バッテリカバー１３は全体として門型であって、左右方向に延びていて、バッテリカバー１３とヘッドカバー１２の上面１２ａとの間には、前後方向に貫通したバッテリ挿入孔３３が形成されている。そのバッテリ挿入孔３３にバッテリパック５０が前側から差し込まれる。バッテリカバー１３は、天地逆向きとされて上側を向いているバッテリパック５０の下面を上側から覆うと共に、バッテリパック５０の左右両側面を外側から覆う構成であり、バッテリパック５０の下面と左右両側面の主要部分を覆う。バッテリパック５０は長手方向の全長のうち半分以上がバッテリカバー１３によって覆われることになる。バッテリパック５０は、長手方向の一端部側の所定部分がバッテリカバー１３によって覆われずに露出し、また、長手方向の他端部が僅かにバッテリカバー１３によって覆われずに露出する。
【００２３】
尚、バッテリパック５０の長手方向の他端部は露出せずにバッテリカバー１３によって覆われる構成としてもよい。即ち、バッテリカバー１３は前面のみが開口した形状であってもよく、バッテリ挿入孔３３も非貫通の形状であってもよい。また、バッテリパック５０の操作部５２が操作できる態様であれば、バッテリパック５０の長手方向の略全長がバッテリカバー１３によって覆われてもよい。尚、バッテリカバー１３の後面には、電源コード３４が着脱自在に取り付けられる。従って、バッテリパック５０を装着しない場合やバッテリパック５０の電池残量がなくなった場合であっても、電源コード３４からモータ６に電力を供給して作業を行うことができる。
【００２４】
バッテリカバー１３の上面１３ａは略平坦面となっており、その上面１３ａにハンドル１４が設けられている。ハンドル１４はコの字状あるいはＵ字状であって、その両端部１４ａがバッテリカバー１３の上面１３ａに回動可能に支持されている。詳細には、ハンドル１４は、その両端部１４ａ同士を結ぶ直線を中心として回動し、ハンドル１４を使用しない非使用位置と、ハンドル１４を使用する使用位置との間を所定角度範囲に亘って回動する。本実施形態においてハンドル１４は左右方向の軸線回りに回動する。即ち、ハンドル１４は前後に回動する。
【００２５】
非使用位置では図１等に示しているようにハンドル１４は略水平に倒れた横倒姿勢となり、使用位置では上方に略垂直に立ち上げられた起立姿勢となる。バッテリカバー１３の上面１３ａにはハンドル１４の形状に対応した形状の溝３５が形成されていて、非使用位置においてハンドル１４はその溝３５に嵌り込む。従って、非使用位置ではハンドル１４はバッテリカバー１３の上面１３ａから上側に突出せず、その突出量は略０である。逆に使用位置ではハンドル１４が起立姿勢となることから、バッテリカバー１３の上面１３ａからの突出量は大きくなって把持しやすくなる。尚、非使用時にはハンドル１４は後側に倒れていて、使用時には前側に回動して起立姿勢となる。
【００２６】
ハンドル１４は集塵機の短軸方向に沿っていて長軸方向の中央部に位置している。従って、ハンドル１４は、平面視において、バッテリパック５０のスライド方向に対して直交する方向に延びている。また、図８のように、ハンドル１４はバッテリパック５０をその短手方向に跨いでいて、ハンドル１４の両端部１４ａはバッテリパック５０の左右両側に位置している。
【００２７】
本体ハウジングの下側にフィルタ１５が取り付けられる。モータベース１０の下面には筒状のフロートホルダ１６が吊り下げられるようにして取り付けられており、該フロートホルダ１６の内側の下部にはフロート１７が備えてられている。そして、フロートホルダ１６の周面には図示しない貫通孔が形成されており、そのフロートホルダ１６の外側に筒状のフィルタ１５が被せられるようにして取り付けられている。フロートホルダ１６の下端部には蓋状のフィルタロック１８が着脱自在に取り付けられており、フィルタロック１８を取り外すことでフィルタ１５を交換できる。フィルタ１５はタンク２の内周面から内側に向けて所定距離離間して位置している。
【００２８】
図７及び図９に集塵風の流れを矢印で示している。集塵風は、ホース接続口４からタンク２の内側に入り、フィルタ１５とフロートホルダ１６を内側に通過して集塵用ファン８に到達し、その後、モータベース１０、モータカバー１１及びヘッドカバー１２の内側を上昇して排気口２５から外部に排出される。
【００２９】
以上のように構成された集塵機にあっては、モータ６とバッテリパック５０が上下に並んだ状態となるので、集塵機の水平方向の寸法を抑制できる。特に、略直方体形状のバッテリパック５０をその長手方向が略水平方向となるようにしてその長手方向に沿ってスライド装着する構成であるので、略直方体形状の大容量のバッテリパック５０を装着しても水平方向の寸法を抑制できる。また、略直方体形状のバッテリパック５０の長手方向が略水平方向となるため、上下方向の寸法も抑制できる。
【００３０】
そして、バッテリパック５０の主要部分がバッテリカバー１３によって覆われた状態となるので、雨が降ってもバッテリパック５０が濡れにくい。更に、バッテリカバー１３の上面１３ａにハンドル１４が設けられているので、ハンドル１４を把持して容易に持ち運ぶことができる。しかも、集塵作業中や肩掛け時には、ハンドル１４を後側に倒した状態にしておくことができるので、ハンドル１４が邪魔になりにくい。また、ハンドル１４を前側ではなく後側に倒しておく構成であるため、バッテリパック５０の着脱時にハンドル１４が邪魔にならない。特に、ハンドル１４が前後何れにも倒れる構成ではなく、後側のみに倒れる構成であって前側への傾倒は規制されているので、ハンドル１４が誤って前側に倒れてバッテリパック５０の着脱時に邪魔になるということがない。また、電源コード３４もバッテリパック５０の差し込み側とは反対側に設けられているので、バッテリパック５０の着脱時に電源コード３４も邪魔にならない。
【００３１】
また、集塵機は、平面視形状が角丸長方形状あるいは楕円形状であって肩掛けベルトが集塵機の長軸方向に沿って延びる構成であるので、肩掛けベルトを使用して集塵機を肩に掛けた場合に、集塵機の短軸方向の側面である左右の側面が作業者の体に面することになって集塵機が体に沿いやすく、従って、運びやすい。そして、集塵機の長軸方向に沿ってバッテリパック５０をスライド装着するので、集塵機の長軸方向の長い寸法を効率良く利用して略直方体形状のバッテリパック５０を配置でき、集塵機の水平方向の寸法を抑制できる。
【００３２】
また、メインスイッチ２３と残量表示部２４が配置された集塵機のオペレータ側からバッテリパック５０を装着する構成であるので、バッテリパック５０の着脱作業が容易である。詳細には、バッテリパック５０を装着してメインスイッチ２３を操作することで直ちに作業を開始できる。バッテリパック５０を外す際にも、残量表示部２４で電池残量を確認し、メインスイッチ２３を操作して、バッテリパック５０を取り外すことができ、これらを一連の動作としてスムーズに行うことができる。また、前側にはホース接続口４が設けられているので、ホース接続口４に接続されたホースを一方の手で把持し他方の手でバッテリパック５０を掴んで着脱することもできる。
【符号の説明】
【００３３】
１    本体
２    タンク
３    クランプ
４    ホース接続口
５    キャスター
６    モータ
７    冷却用ファン
８    集塵用ファン
１０    モータベース
１１    モータカバー
１２    ヘッドカバー
１２ａ  上面
１３    バッテリカバー
１３ａ  上面
１４    ハンドル
１４ａ  端部
１５    フィルタ
１６    フロートホルダ
１７    フロート
１８    フィルタロック
２０    ベルト取付部
２１    本体係止部
２２    通気孔
２３    メインスイッチ
２４    残量表示部
２５    排気口
３０    バッテリ取付部
３１    スライドレール
３２    端子
３３    バッテリ挿入孔
３４    電源コード
３５    溝
５０    バッテリパック
５１    端子
５２    操作部
【図１】
2018186931.tif 000003
【図２】
2018186931.tif 000004
【図３】
2018186931.tif 000005
【図４】
2018186931.tif 000006
【図５】
2018186931.tif 000007
【図６】
2018186931.tif 000008
【図７】
2018186931.tif 000009
【図８】
2018186931.tif 000010
【図９】
2018186931.tif 000011
【図１０】
2018186931.tif 000012